(57)【要約】【課題】投薬場所と生体情報の検出場所とが近くても、正しい生体情報の収集に寄与する投薬制御方法を提供する。【解決手段】投薬制御方法は、生体への投薬を指示する投薬指示工程と、投薬を要因として変化し得る生体情報を検出し、モニター情報として収集する動作を指示する生体情報収集指示工程と、生体情報収集指示工程に従って実施される生体情報の検出期間と、投薬指示工程に従って実施される投薬が生体情報の検出に影響を及ぼす期間とが重なる場合に、投薬指示工程および生体情報収集指示工程の一方を禁止または延期する指示工程とを有する。【選択図】図３
2016097052.tif 000002
【特許請求の範囲】
【請求項１】
生体への投薬を指示する投薬指示工程と、
投薬を要因として変化し得る生体情報を検出し、モニター情報として収集する動作を指
示する生体情報収集指示工程と、
前記生体情報収集指示工程に従って実施される前記生体情報の検出期間と、前記投薬指
示工程に従って実施される投薬が前記生体情報の検出に影響を及ぼす期間とが重なる場合
に、前記投薬指示工程および前記生体情報収集指示工程の一方を禁止または延期する指示
工程と、
を有することを特徴とする投薬制御方法。
【請求項２】
請求項１において、
前記投薬指示工程に従って実施される投薬の影響を受ける期間として割り込み指示を出
す期間が定められ、投薬開始時期に対する割り込み指示を出す期間の始期と、投薬終了時
期に対する割り込み指示を出す期間の終期とを設定することを特徴とする投薬制御方法。
【請求項３】
請求項１または２において、
前記指示工程は前記生体情報の検出を禁止することを特徴とする投薬制御方法。
【請求項４】
請求項１または２において、
前記指示工程は、前記生体情報収集指示工程に従い検出された前記生体情報を前記モニ
ター情報として収集することを禁止することを特徴とする投薬制御方法。
【請求項５】
請求項１または２において、
前記指示工程は、前記投薬指示工程を前記生体情報の検出期間が終了するまで延期する
ことを特徴とする投薬制御方法。
【請求項６】
請求項１または２において、
前記指示工程は、検出された前記生体情報の転送を受信するまで前記投薬指示工程を延
期し、かつ、前記生体情報の転送を受信後であって、前記投薬指示工程がないことの確認
後または前記投薬指示工程に従って実施される投薬の影響を受ける期間の経過後まで、前
記生体情報収集指示工程を延期することを特徴とする投薬制御方法。
【請求項７】
生体への投薬を指示する投薬指示手順と、
投薬を要因として変化し得る生体情報を検出し、モニター情報として収集する動作を指
示する生体情報収集指示手順と、
前記生体情報収集指示工程に従って実施される前記生体情報の検出期間と、前記投薬指
示工程に従って実施される投薬が前記生体情報の検出に影響を及ぼす期間とが重なる場合
時に、前記投薬指示手順および前記生体情報収集手順の一方を禁止または延期する指示手
順と、
をコンピューターに実施させることを特徴とする投薬制御プログラム。
【請求項８】
生体に向けて投薬を実施する投薬部と、
投薬を要因として変化し得る生体情報を検出し、モニター情報として収集する生体情報
収集部と、
前記投薬、および、前記モニター情報を収集する動作を指示し、前記生体情報の検出期
間と、前記投薬が前記生体情報の検出に影響を及ぼす期間とが重なる場合に、前記投薬の
指示および前記生体情報の検出のうち一方を禁止または延期する処理を実施する制御部と
、
を有することを特徴とする投薬システム。
【発明の詳細な説明】
【技術分野】
【０００１】
本発明は、投薬制御方法、投薬制御プログラムおよび投薬システム等に関する。
【背景技術】
【０００２】
特許文献１に開示されるように、薬剤注入装置は一般に知られる。薬剤注入装置は留置
針を備える。留置針から患者の体内にインスリンが投与される。投与に先立って血糖値の
濃度が計測される。濃度の計測にあたって留置針の側面に固定されたセンサーが用いられ
る。
【先行技術文献】
【特許文献】
【０００３】
【特許文献１】特開２００４−２８３３７８号公報
【発明の概要】
【発明が解決しようとする課題】
【０００４】
留置針から投与されたインスリンは細胞内でグルコースの消費を促す。その結果、イン
スリンの注入場所では注入時に局所的に血糖値が低下する。したがって、インスリンの注
入場所と血糖値の計測場所とが近いと、計測場所で局所的に血糖値が低下してしまい、血
糖値が正しく計測されることができない。こうしてインスリンを正しく投与できない恐れ
がある。
【０００５】
本発明の少なくとも１つの態様によれば、投薬場所と生体情報の検出場所とが近くても
、正しい生体情報の収集に寄与する投薬制御方法を提供することができる。
【課題を解決するための手段】
【０００６】
（１）本発明の一態様は、生体への投薬を指示する投薬指示工程と、投薬を要因として
変化し得る生体情報を検出し、モニター情報として収集する動作を指示する生体情報収集
指示工程と、前記生体情報収集指示工程に従って実施される前記生体情報の検出期間と、
前記投薬指示工程に従って実施される投薬が前記生体情報の検出に影響を及ぼす期間とが
重なる場合に、前記投薬指示工程および前記生体情報収集指示工程の一方を禁止または延
期する指示工程とを有する投薬制御方法に関する。
【０００７】
投薬が指示されると、生体の投薬場所では局所的に生体情報は正常値に向かって変化す
る。生体情報の収集の動作が指示されると、生体の検出場所では生体情報は収集される。
本実施形態では、たとえ生体情報の検出期間と、投薬が生体情報の検出に影響を及ぼす期
間とが重なっても、投薬指示工程および生体情報収集指示工程の一方は禁止または延期さ
れるので、局所的な生体情報の変化はモニター情報として収集されない。したがって、投
薬場所と生体情報の検出場所とが近くても、正しい生体情報に基づき投薬を実施すること
ができる。
【０００８】
（２）前記投薬指示工程に従って実施される投薬の影響を受ける期間として割り込み指
示を出す期間が定められ、投薬制御方法は、投薬開始時期に対する割り込み指示を出す期
間の始期と、投薬終了時期に対する割り込み指示を出す期間の終期とを設定してもよい。
こうして割り込み指示の期間は調整される。投薬指示工程と生体情報収集指示工程との重
なりは確実に回避される。割り込み指示に影響する条件に応じて、投薬開始に先立ってど
のくらい前から検出を禁止するかの時間を設定することができ、投薬後のどのくらい後ま
で禁止期間とするかの時間を設定することができる。正しい生体情報に基づき投薬を実施
できる。しかも、そうした効果に加えて、投薬の時期に対して生体情報収集のずれは、で
きるだけ縮小されることができる。
【０００９】
（３）前記指示工程は前記生体情報の検出を禁止してもよい。生体情報の検出が禁止さ
れると、局所的な生体情報の変化はモニター情報として収集されない。したがって、投薬
場所と生体情報の検出場所とが近くても、正しい生体情報に基づき投薬を実施することが
できる。しかも、そうした効果に加えて、投薬の時期に変更が加えられないという効果が
ある。
【００１０】
（４）前記指示工程は、前記生体情報収集指示工程に従い検出された前記生体情報を前
記モニター情報として収集することを禁止してもよい。たとえ生体情報収集指示工程に従
って生体情報が検出されても、指示工程ではモニター情報の収集は禁止される。局所的な
生体情報の変化はモニター情報として収集されない。したがって、投薬場所と生体情報の
検出場所とが近くても、正しい生体情報に基づき投薬を実施することができる。しかも、
そうした効果に加えて、生体情報収集の時期および投薬の時期に変更が加えられずに済む
という効果がある。
【００１１】
（５）前記割り込み指示工程は、前記投薬指示工程を前記生体情報の検出期間が終了す
るまで延期してもよい。たとえ生体情報の検出が設定どおりに繰り返し指示されても、投
薬指示工程は生体情報の検出期間に重ならない。こうして生体情報の収集時に投薬は回避
される。投薬は生体情報の検出に影響しない。局所的な生体情報の変化はモニター情報と
して収集されない。したがって、投薬場所と生体情報の検出場所とが近くても、正しい生
体情報に基づき投薬を実施することができる。しかも、そうした効果に加えて、生体情報
の検出動作に変更が加えられなくても済む。
【００１２】
（６）前記指示工程は、検出された前記生体情報の転送を受信するまで前記投薬指示工
程を延期し、かつ、前記生体情報の転送を受信後であって、前記投薬指示工程がないこと
の確認後または前記投薬指示工程に従って実施される投薬の影響を受ける期間の経過後ま
で、前記生体情報収集指示工程を延期してもよい。生体情報の転送を受信するまで投薬指
示工程は延期されることから、投薬指示工程と生体情報収集指示工程との重なりは確実に
回避される。その後、投薬指示工程がないことが確認され、または、生体情報の転送の受
信後に投薬の影響を受ける期間が経過すれば、投薬指示工程と生体情報収集指示工程との
重なりは回避される。局所的な生体情報の変化はモニター情報として収集されない。した
がって、投薬場所と生体情報の検出場所とが近くても、正しい生体情報に基づき投薬を実
施することができる。しかも、そうした効果に加えて、投薬の時期が任意に設定されても
、確実に投薬指示工程と生体情報収集指示工程との重なりは回避される。
【００１３】
（７）本発明の他の態様は、生体への投薬を指示する投薬指示手順と、投薬を要因とし
て変化し得る生体情報を検出し、モニター情報として収集する動作を指示する生体情報収
集指示手順と、前記生体情報収集指示工程に従って実施される前記生体情報の検出期間と
、前記投薬指示工程に従って実施される投薬が前記生体情報の検出に影響を及ぼす期間と
が重なる場合時に、前記投薬指示手順および前記生体情報収集手順の一方を禁止または延
期する指示手順とをコンピューターに実施させる投薬制御プログラムに関する。
【００１４】
（８）本発明のさらに他の態様は、生体に向けて投薬を実施する投薬部と、投薬を要因
として変化し得る生体情報を検出し、モニター情報として収集する生体情報収集部と、前
記投薬、および、前記モニター情報を収集する動作を指示し、前記生体情報の検出期間と
、前記投薬が前記生体情報の検出に影響を及ぼす期間とが重なる場合に、前記投薬の指示
および前記生体情報の検出のうち一方を禁止または延期する処理を実施する制御部とを有
する投薬システムに関する。
【図面の簡単な説明】
【００１５】
【図１】一実施形態に係る投薬システムの全体構成を概略的に示す外観図である。
【図２】投薬システムのブロック図である。
【図３】第１実施形態に係る投薬システムの動作を概略的に示すチャート図である。
【図４】投薬および血糖値の検出を概略的に示す皮下組織の模式図である。
【図５】第２実施形態に係る投薬システムの動作を概略的に示すチャート図である。
【図６】第３実施形態に係る投薬システムの動作を概略的に示すチャート図である。
【図７】第４実施形態に係る投薬システムの動作を概略的に示すチャート図である。
【発明を実施するための形態】
【００１６】
以下、添付図面を参照しつつ本発明の一実施形態を説明する。なお、以下に説明する本
実施形態は、特許請求の範囲に記載された本発明の内容を不当に限定するものではなく、
本実施形態で説明される構成の全てが本発明の解決手段として必須であるとは限らない。
【００１７】
（１）投薬システムの全体構成
図１は一実施形態に係る投薬システム１１の全体構成を概略的に示す。投薬システム１
１はインスリンポンプ（投薬部）１２を備える。インスリンポンプ１２は留置針１３を有
する。留置針１３は例えば人体といった生体に挿入される。留置針１３の先端は例えば皮
下組織間質液に達する。インスリンポンプ１２が作動すると、皮下に向けて投薬は実施さ
れる。投薬によって間質液にはインスリンが供給される。
【００１８】
インスリンポンプ１２の動作にはべーサル投与およびボーラス投与が含まれる。べーサ
ル投与では留置針１３から継続的にインスリンが生体に注入される。インスリンは５分や
１５分の間隔で周期的に続く限り途切れなく投与される。その一方で、ボーラス投与では
特定の時期にスポット的に留置針１３からインスリンが生体に注入される。インスリンは
例えば予め決められた時刻やユーザーの指定に従って周期的に数分間にわたって生体に投
与される。
【００１９】
投薬システム１１は血糖値計（生体情報収集部）１４を備える。血糖値計１４は例えば
１対の電極１５を有する。電極１５は例えば生体に挿入される。電極１５の先端は例えば
皮下組織間質液中に浸される。血糖値計１４は間質液内で血糖値すなわちグルコース濃度
（生体情報）を検出する。血糖値計１４には例えばＣＧＭ（連続グルコースセンサー）が
用いられることができる。血糖値計１４は３分や５分の間隔で定期的に血糖値のデータを
出力する。
【００２０】
投薬システム１１はコントローラー（制御部）１６を備える。コントローラー１６はイ
ンスリンポンプ１２の動作を制御する。動作の制御にあたってコントローラー１６は血糖
値計１４からモニター情報として血糖値のデータを収集する。血糖値のデータで血糖値の
過度の低下が予想されると、コントローラー１６は、ユーザーに警告を発したり、投薬の
停止を指示したりする。コントローラー１６には例えば携帯可能なノートパソコンやスマ
ートホン、タブレットパソコンその他の機器が用いられることができる。
【００２１】
図２に示されるように、インスリンポンプ１２はタンク２１を備える。タンク２１には
インスリンが貯蔵される。タンク２１は例えばカートリッジ式に構成することができる。
カートリッジの交換に応じてインスリンポンプ１２にはインスリンを補充することができ
る。
【００２２】
インスリンポンプ１２は加圧部２２を備える。加圧部２２にはタンク２１が結合される
。加圧部２２の働きでタンク２１からインスリンは放出される。放出されたインスリンは
留置針１３に供給される。加圧部２２は例えばモーターを有する。モーターの駆動力に応
じて加圧部２２では圧力が生成される。生成された圧力の働きでインスリンはタンク２１
から留置針１３まで流れる。モーターは例えば圧電モーターから構成することができる。
圧電モーターは圧電素子の働きで駆動力を生成する。
【００２３】
インスリンポンプ１２は制御回路２３を備える。制御回路２３は加圧部２２に接続され
る。制御回路２３は加圧部２２の動作を制御する。制御回路２３は例えばＣＰＵ（中央演
算処理装置）やメモリー、クロック回路で構成することができる。ＣＰＵはメモリーに記
憶されるプログラムに従って動作する。ＣＰＵの動作はクロック回路で生成されるクロッ
クに同期する。ここでは、加圧部２２の動作は例えば周期Ｒで繰り返される。
【００２４】
インスリンポンプ１２は通信回路２４を備える。通信回路２４は制御回路２３に接続さ
れる。通信回路２４は例えば無線通信を通じて外部から制御信号を受信することができる
。制御回路２３は通信回路２４から受け取る制御信号に従って動作することができる。通
信回路２４は例えばブルートゥース（登録商標）を利用すればよい。加えて、通信回路２
４は、外部に向けてエラーメッセージやステータスメッセージといった信号を送信しても
よい。
【００２５】
インスリンポンプ１２は電源２５を備える。電源２５は制御回路２３や加圧部２２、通
信回路２４に接続される。電源２５は例えば電池で構成することができる。電源２５から
供給される電力に応じて制御回路２３や加圧部２２、通信回路２４は動作する。
【００２６】
血糖値計１４は検出回路２７を備える。検出回路２７は電極１５に接続される。検出回
路２７は電極１５間で生じる電流を測定する。ここで、検出回路２７の原理の一例を挙げ
ると、皮下組織間質液中のグルコースがグルコースオキシダーゼ酵素膜を通過する際、グ
ルコースと酸素とからグルコン酸と過酸化水素とが生成される。生成された過酸化水素は
さらに電極面で水および酸素に分解される。その際、反応電流が電極１５間で生じる。こ
の電流は過酸化水素量に比例する。過酸化水素量は間質液中のグルコース濃度に比例する
ことから、実測された反応電流値を間質液中のグルコース濃度に換算することができる。
【００２７】
血糖値計１４は演算回路２８を備える。演算回路２８は検出回路２７に接続される。演
算回路２８は例えば５秒や１０秒といった時間間隔で検出回路２７の検出結果を取得する
。演算回路２８は５分や１０分といった周期Ｐで検出回路２７の検出結果から平均値を算
出し、血糖値のデータとして出力する。演算回路２８は例えばＣＰＵ（中央演算処理装置
）やメモリー、クロック回路で構成することができる。ＣＰＵはメモリーに記憶されるプ
ログラムに従って動作する。ＣＰＵの動作はクロック回路で生成されるクロックに同期す
る。
【００２８】
血糖値計１４は通信回路２９を備える。通信回路２９は演算回路２８に接続される。通
信回路２９は例えば無線通信を通じて外部に血糖値のデータを送信することができる。通
信回路２９は同様に無線通信を通じて外部から制御信号を受信することができる。演算回
路２８は通信回路２９から受け取る制御信号に従って動作することができる。制御信号に
は、血糖値の検出を禁止する禁止信号が含まれる。通信回路２９は例えばブルートゥース
（登録商標）を利用すればよい。
【００２９】
血糖値計１４は電源３１を備える。電源３１は演算回路２８や検出回路２７、通信回路
２９に接続される。電源３１は例えば電池で構成することができる。電源３１から供給さ
れる電力に応じて演算回路２８や検出回路２７、通信回路２９は動作する。
【００３０】
コントローラー１６はＣＰＵ（中央演算処理装置）３２を備える。ＣＰＵ３２にはメモ
リー３３が接続される。ＣＰＵ３２はメモリー３３に記憶されるプログラムに従って動作
する。ＣＰＵ３２の動作は例えばクロック回路３４で生成されるクロックに同期すればよ
い。メモリー３３には例えば投薬制御プログラム３５が格納される。投薬制御プログラム
３５は例えばウェブサイトからダウンロードされてメモリー３３に格納されればよい。
【００３１】
コントローラー１６は通信回路３６を備える。通信回路３６はＣＰＵ３２に接続される
。ＣＰＵ３２は例えば無線通信を通じてインスリンポンプ１２の通信回路２４に制御信号
を送信することができる。同様に、ＣＰＵ３２は無線通信を通じて血糖値計１４の通信回
路２９から血糖値のデータを受信したり血糖値計１４の通信回路２９に向けて制御信号を
送信したりすることができる。
【００３２】
コントローラー１６はディスプレイ３７やスピーカー３８といった出力機器やマイク３
９やタッチスクリーンパネル４１といった入力機器を備えてもよい。コントローラー１６
はディスプレイ３７やスピーカー３８を通じてユーザーに警告を発することができる。ユ
ーザーはマイク３９やタッチスクリーンパネル４１からコントローラー１６に指示や設定
、データを入力することができる。
【００３３】
（２）第１実施形態に係る投薬システムの動作
次に投薬システム１１の動作を説明する。コントローラー１６で投薬制御プログラム３
５が実行されると、投薬制御方法は実施される。投薬制御方法の実施にあたってコントロ
ーラー１６にはインスリンポンプ１２および血糖値計１４が関連づけられる。ここでは、
コントローラー１６に無線でインスリンポンプ１２および血糖値計１４が接続される。ブ
ルートゥースを通じてコントローラー１６とインスリンポンプ１２および血糖値計１４と
の間に無線回線が確立される。コントローラー１６にはインスリンポンプ１２および血糖
値計１４が登録される。
【００３４】
血糖値計１４の電源３１が入れられると、血糖値計１４は血糖値の計測を開始すること
ができる。図３に示されるように、コントローラー１６は血糖値計１４の制御信号を生成
する。コントローラー１６は、制御信号に基づき、血糖値を検出しモニター情報として収
集する動作を血糖値計１４に指示する。こうして生体情報収集指示工程は実現される。
【００３５】
血糖値計１４はコントローラー１６に血糖値のデータを供給する。血糖値計１４は内部
クロックのクロックに応じて固有のタイミングで計測を実施する。すなわち、血糖値計１
４は周期Ｐで血糖値を検出しモニター情報として収集する動作を繰り返す。このとき、コ
ントローラー１６は血糖値計１４のタイムスタンプを取得する。タイムスタンプは血糖値
のデータに組み込まれればよい。こうしてコントローラー１６は血糖値の検出期間を特定
する。コントローラー１６には予め血糖値の検出の周期Ｐが登録されればよい。あるいは
、複数のデータの受信に応じて周期Ｐが特定されてもよい。
【００３６】
コントローラー１６はインスリンポンプ１２の制御信号を生成する。制御信号には投薬
の指示が特定される。制御信号の生成にあたってコントローラー１６は投薬の周期Ｒを特
定する。インスリンポンプ１２は制御信号の受信に応じて投薬を実施する。投薬は周期Ｒ
で繰り返される。生体への投薬を指示する投薬指示工程は実現される。患者の体内に留置
針１３からインスリンが投与される。
【００３７】
投薬の周期Ｒが特定されると、コントローラー１６は、投薬が血糖値の検出に影響を及
ぼす期間（以下「検出禁止期間」という）を特定する。検出禁止期間は、投薬されたイン
スリンが投薬場所の間質液で拡散し、投薬場所の局所的な血糖値が周囲の間質液の血糖値
に平衡する期間であればよい。こうした期間は、個人個人で実測されてカスタマイズされ
てもよく、多数のサンプルデータに基づき一般化されてもよい。一般に知られるように、
インスリンの投薬を要因として血糖値は変化する。
【００３８】
コントローラー１６は皮下組織間質液中の血糖値をモニターする。コントローラー１６
は、血糖値の過度の低下を予測すると、インスリンポンプ１２からインスリンの注入を停
止する。コントローラー１６はインスリンポンプ１２に向けて加圧部２２の動作を停止す
る制御信号を出力する。
【００３９】
コントローラー１６は、血糖値の検出期間と検出禁止期間とが重なる場合には、投薬指
示工程および生体情報収集指示工程の一方を禁止または延期する割り込み指示を生成する
。ここでは、割り込み指示に基づき血糖値の検出は禁止される。割り込み指示を出す期間
は検出禁止期間に基づき定められる。言い換えると、投薬開始時期に対する割り込み指示
を出す期間の始期は検出禁止期間の始期に該当し、投薬終了時期に対する割り込み指示を
出す期間の終期は検出禁止期間の終期に該当する。期間の始期は、投薬開始に先立ってど
のくらい前から検出を禁止するかの時間（ｔ１）を設定することができ、期間の終期は、
投薬後のどのくらい後まで禁止期間とするかの時間（ｔ２）を設定することができる。前
述のように、予め血糖値計１４のタイムスタンプが特定されていれば、コントローラー１
６は、血糖値の検出期間と検出禁止期間とが重なる際にだけ血糖値計１４に検出禁止期間
の始期および終期を通知すればよい。その他、コントローラー１６はインスリンポンプ１
２の制御信号を送信するたびに血糖値計１４に検出禁止期間の始期および終期を通知して
もよい。
【００４０】
図４に示されるように、留置針１３から皮下組織間質液にインスリンが供給されると、
インスリンは間質液から血管に染み入り運搬される。インスリンは細胞内でグルコースＧ
の消費を促す。血糖値は低下していく。インスリンの注入場所では注入時に局所的に血糖
値が低下する。局所的に血糖値は正常値に向かって変化する。このとき、本実施形態では
、たとえ血糖値の検出期間と検出禁止期間とが重なっても、生体情報収集指示工程は禁止
されるので、局所的な血糖値の変化はモニター情報として収集されない。したがって、投
薬場所と血糖値の検出場所とが近くても、正しい血糖値に基づき投薬を実施することがで
きる。
【００４１】
グルコースＧの消費に伴いインスリンは消費される。加えて、インスリンは血管に染み
入り運搬される。こうして投薬場所ではインスリンの濃度は低下していく。併せて、皮下
組織間質液には血管からグルコースＧが染み出る。その結果、投薬場所での局所的な血糖
値の低下は解消される。局所的な血糖値の変化が解消されると、検出禁止期間は終了する
。こうして血糖値計１４は血糖値の検出を再開する。
【００４２】
本実施形態では、投薬指示工程に従って実施される投薬の影響を受ける期間として割り
込み指示を出す期間が定められ、コントローラー１６は、投薬開始時期に対する割り込み
指示を出す期間の始期と、投薬終了時期に対する割り込み指示を出す期間の終期とを設定
する。こうして割り込み指示の期間は調整される。投薬指示工程と生体情報収集指示工程
との重なりは確実に回避される。割り込み指示に影響する条件に応じて割り込み指示の期
間を変更することができる。例えば、コントローラー１６は投薬量に応じて始期および終
期を変更することもできる。
【００４３】
（３）第２実施形態に係る投薬システムの動作
第２実施形態では、血糖値の検出期間と検出禁止期間とが重なる場合には、図５に示さ
れるように、コントローラー１６は割り込み指示に基づき、検出された血糖値をモニター
情報として収集することを禁止する。血糖値計１４からコントローラー１６に血糖値のデ
ータは送られ続ける。コントローラー１６はインスリンポンプ１２に向かって制御信号を
送信すると同時に割り込み指示を生成しモニター情報の収集を禁止すればよい。モニター
情報の収集を禁止するとは、例えば受信した血糖値のデータを破棄したり内部メモリーに
蓄積しないことをいう。血糖値計１４は周期的な動作を繰り返すだけでよく、血糖値計１
４の処理動作に変更が加えられなくても済む。この場合でも、前述と同様に、局所的な血
糖値の変化はモニター情報として収集されない。したがって、投薬場所と血糖値の検出場
所とが近くても、正しい血糖値に基づき投薬を実施することができる。
【００４４】
（４）第３実施形態に係る投薬システムの動作
第３実施形態では、血糖値の検出期間と検出禁止期間とが重なる場合には、図６に示さ
れるように、コントローラー１６は割り込み指示に基づき、投薬指示工程を生体情報の検
出期間が終了するまで延期する。血糖値計１４からコントローラー１６に血糖値のデータ
は送られ続ける。コントローラー１６は投薬の周期Ｒに基づき検出禁止期間を予測し血糖
値の検出期間と検出禁止期間とが重ならないようにインスリンポンプ１２に向かって制御
信号を送信すればよい。血糖値計１４は周期的な動作を繰り返すだけでよく、血糖値計１
４の処理動作に変更が加えられなくても済む。この場合でも、前述と同様に、局所的な血
糖値の変化はモニター情報として収集されない。したがって、投薬場所と血糖値の検出場
所とが近くても、正しい血糖値に基づき投薬を実施することができる。
【００４５】
（５）第４実施形態に係る投薬システムの動作
第４実施形態では、血糖値の検出期間と検出禁止期間とが重なる場合には、図７に示さ
れるように、コントローラー１６は割り込み指示に基づき、検出された血糖値のデータを
受信するまで投薬指示工程を延期し、かつ、血糖値のデータを受信後であって、投薬指示
工程がないことの確認後または検出禁止期間の経過後まで、生体情報収集指示工程を延期
する。コントローラー１６は投薬の周期Ｒに基づき検出禁止期間を予測し血糖値の検出期
間と検出禁止期間とが重ならないように血糖値計１４に向かって制御信号を送信すればよ
い。血糖値のデータを受信後に投薬が開始され、投薬がないこと、または、検出禁止期間
の経過後まで血糖値の検出は延期されることから、血糖値の検出期間と検出禁止期間との
重なりは確実に回避されることができる。この場合でも、前述と同様に、局所的な血糖値
の変化はモニター情報として収集されない。したがって、投薬場所と血糖値の検出場所と
が近くても、正しい血糖値に基づき投薬を実施することができる。
【００４６】
なお、上記のように本実施形態について詳細に説明したが、本発明の新規事項および効
果から実体的に逸脱しない多くの変形が可能であることは当業者には容易に理解できるで
あろう。したがって、このような変形例はすべて本発明の範囲に含まれる。例えば、明細
書または図面において、少なくとも一度、より広義または同義な異なる用語とともに記載
された用語は、明細書または図面のいかなる箇所においても、その異なる用語に置き換え
られることができる。また、インスリンポンプ１２や血糖値計１４等の構成および動作も
本実施形態で説明したものに限定されず、種々の変形が可能である。また、コントローラ
ー１６の機能はインスリンポンプ１２や血糖値計１４のいずれかに含まれていてもよい。
【符号の説明】
【００４７】
１１  投薬システム、１２  投薬部（インスリンポンプ）、１４  生体情報収集部（血
糖値計）、１６  制御部（コントローラー）。
【図１】
2016097052.tif 000003
【図２】
2016097052.tif 000004
【図３】
2016097052.tif 000005
【図４】
2016097052.tif 000006
【図５】
2016097052.tif 000007
【図６】
2016097052.tif 000008
【図７】
2016097052.tif 000009